(57)【要約】    【課題】  筆記体後方の適正な位置にスイッチや弾発部材を配置することは、組み立ての上で高度な精密さが要求される。  またスイッチや、弾発部材の固定に半田を用いるのが一般的であるが、スイッチや弾発部材の固定位置のズレにより、狙いの筆圧検知ができない場合、手直し工程が極めて煩雑なものとなっていた。    【構成】  軸筒に中軸を介して内設された筆記体と、前記筆記体の筆圧を検知して電源のオン／オフする電気的装置を装着した電子ペンにおいて、前記電気的装置を収納するハウスをモジュールとして形成し、前記ハウスには、筆記体に固定され、筆記体と共に長手軸方向に摺動する筆記体フォルダーをガイドするガイド部と、前記筆記体フォルダー後端を当接係止する係止部を、前記ハウスに形成し、前記係止部を常に前方に付勢する弾発部材を内設すると共に、前記ガイド部とスイッチ（或いはセンサ）受け部で前記電気的装置を位置決めし、前記中軸に装着可能とした電子ペン。【選択図】  図２
2007233577.tif 000002
【特許請求の範囲】
【請求項１】
軸筒に中軸を介して内設された筆記体と、前記筆記体の筆圧を検知して電源のオン／オフする電気的装置を装着した電子ペンにおいて、前記電気的装置を収納するハウスをモジュールとして形成し、前記ハウスには、筆記体に固定され、筆記体と共に長手軸方向に摺動する筆記体フォルダーをガイドするガイド部と、前記筆記体フォルダー後端を当接係止する係止部を、前記ハウスに形成し、前記係止部を常に前方に付勢する弾発部材を内設すると共に、前記ガイド部とスイッチ（或いはセンサ）受け部で前記電気的装置を位置決めし、前記中軸に装着可能としたことを特徴とする電子ペン。
【請求項２】
前記弾発部材は、フレックス基盤の屈曲により形成したことを特徴とする請求項１記載の電子ペン。
【発明の詳細な説明】
【技術分野】
【０００１】
本発明は、軸筒に中軸を介して内設された筆記体と、前記筆記体の筆圧を検知してオン／オフする電気スイッチ（或いはセンサ）を装着した電子ペンに関するものであり、筆記時に電気スイッチ（或いはセンサ）がＯＮになることで、別個の装置で電子ペンから発信した音波や光を受信することにより、ＸＹ座標を検出できる装置や、デジタイザーを用いたＸＹ座標検出装置或いは、筆記に連動して発光や振動を発する電子ペンに装着する筆圧検出機構に関するものである。
【背景技術】
【０００２】
１例として、筆記具先端近傍に発光装置と超音波発信装置を備え、筆記体の筆圧を検知して発信される光と超音波を受信装置で受信し、筆記位置のＸＹ座標を検出するシステムの筆記具が知られており、筆圧検知の電気的装置として、感圧センサを筆記体後端に直接配置したもの、あるいは筆圧による弾発部材の圧縮で接点を結ぶ機構等が知られている。
【特許文献１】特開２００５−１０６５６０号公報。
【特許文献２】特開２００４−１９２１９９号公報。
【発明の開示】
【発明が解決しようとする課題】
【０００３】
しかしながら、筆記体後方の適正な位置にスイッチや弾発部材を配置することは、組み立ての上で高度な精密さが要求される。
またスイッチや、弾発部材の固定に半田を用いるのが一般的であるが、スイッチや弾発部材の固定位置のズレにより、狙いの筆圧検知ができない場合、手直し工程が極めて煩雑なものとなっていた。
【課題を解決するための手段】
【０００４】
本発明は、軸筒に中軸を介して内設された筆記体と、前記筆記体の筆圧を検知してオン／オフする電気的装置を装着した筆記具（或いは電子ペン）において、前記電気的装置を収納するハウスをモジュールとして形成し、前記ハウスは、筆記体に固定され、筆記体と共に長手軸方向に摺動する筆記体フォルダーをガイドするガイド部と、前記筆記体フォルダー後端を当接係止する係止部を、前記ハウスに形成し、前記係止部を常に前方に付勢する弾発部材を内設すると共に、前記ガイド部とスイッチ（或いはセンサ）受け部で前記電気的装置を位置決めし、前記中軸に装着可能としたことを要旨とする。
【発明の効果】
【０００５】
本発明では、あらかじめフレックス基盤等に固定された筆記体の筆圧を検知してオン／オフする電気的装置を、ハウスを形成する受け部で位置決め後、中軸に挟着固定されるため、組み立て作業が簡単に行えると共に、仮に狙いの筆圧検知ができない場合でも容易に取り外し、手直しが行えることができる。
また、本発明ではハウス内に弾発部分を形成すると共に、筆記体フォルダーを係止する係止部を形成しているため、非筆記時に筆記体或いは筆記体フォルダーの摺動抵抗により、電気的装置の誤作動を極力防ぐことができる。
【発明を実施するための最良の形態】
【０００６】
図１〜図５に本発明の１例を示し説明する。
外軸１の内方に筆記体３を、摺動自在に配置した中軸２を設けてある。前記中軸２には、前記筆記体３の筆圧を検知して、電源のオン／オフをする電気的装置をモジュール化したハウス５を組み入れる空間が形成されている。前記ハウス５には、筆記体３後端に設けた筆記体フォルダー４の後方部を摺動可能にガイドするガイド部６と、前記電気的装置の位置決め可能な受け部９を形成すると共に、筆記体３を常にペン先側に付勢する弾発部８と弾発力を筆記体フォルダー４に伝える係止部７を設けている。
非筆記時には、前記弾発部８の弾発力と係止部７の作用により、係止部７と電気的装置となる感圧センサ１３の間には、空間２９を形成することができる。また筆記時には、筆記圧により、筆記体３及び筆記体フォルダー４は、弾発力に抗してハウス５内の係止部７を押圧することで係止部７が感圧センサ１３を押圧し、筆記状態を検知することができる。
【０００７】
本実施例では、感圧センサ１３を固定しているポリイミドをフィルム状に形成したフレックス基盤１４をペン先側に伸長し、ハウス５内にＲ部３０を設けて弾発部８を形成すると共に、筆記体フォルダー４の係止部７もフレックス基盤１４の伸長部に形成できるため、部品点数を低減できるのみならず、組み立て性も大幅に向上させることができる。
【０００８】
本実施例では、ハウス５内に設けられているガイド部６を形成する部材と、感圧センサ１３の受け部９とを連結部１０を設け一体に形成してある。ハウス５内に弾発部８と係止部７を形成し、感圧センサ１３を組み込み、連結部１０を屈曲させ、センサ受け部９とガイド部６の内面を対向させ、モジュール化されたハウス５を形成することができる。このときガイド部６側に形成した接合突起２４が、受け部９側に形成した接合穴２５に嵌挿されることで、モジュール化されたハウス５を中軸２に容易に装着することができる。
ハウス５のガイド部６側には、適宜フレックス基盤の位置決めを行う位置決め壁２６を形成した。前記位置決め壁２６は、フレックス基盤１４に設けた位置決め突起２７を収納する。これにより感圧センサ１３、弾発部８及び係止部７の位置決めを確実に行える。
連結部１０を介して、ガイド部６と受け部９を一体に形成することで、部品点数を低減できるばかりでなく、ガイド部６と感圧センサ１３の位置決め精度も向上する。また、ガイド部６とセンサ受け部９を別体で形成しも差し支えない。
また前記ハウス５には、位置決め突起２８が形成している。中軸２に設けた係止段部３１に当接・係合し、ハウス５は、適切な位置に配置できる。
本実施例では、非筆記時に感圧センサ１３と係止部７との間に弾発部８の弾発力により、常に空間２９を形成することで、筆記具３の先端が紙面から離れた場合に、筆記体フォルダー４後端を積極的に感圧センサ１３から離間させることで、中軸２と筆記体３との僅かな摺動抵抗等による検知時間の遅れや、瞬間的な非筆記状態の未検知等を極力防止することができる。
【０００９】
図６は、ハウス５を２分割した部材から構成するタイプの実施例である。参照符号６０はハウスの上部を示し、参照符号６１はハウスの下部を示すものである。参照符号１０は連結部で、この連結部を前記したハウス上部６０の受け部（図示せず）に、挿入することでハウス６０、６１は組み立てられるものである。フレックス基板１４と感圧センサ１３は、位置決め壁２６に、フレックス基板１４に設けられている位置決め突起２７を挿入することにより位置決めと、弾発部形成のためのフレックス基盤１４の材質を変形させて収納することができるために組み立て性を向上できる。
【００１０】
図７に本発明の別例を示し説明する。
ハウス５内には、筆記体フォルダー４を係止する係止部７に、筆記体フォルダー４を常にペン先側に付勢する別部品からなる弾発部材８を設けたものである。弾発部材８としては、コイルバネを採用できるものである。
【００１１】
図８に本発明の更なる別例を示し説明する。
ハウス５内には、筆記体フォルダー４を係止する係止部７を、弾性変形可能材質で形成し、筆記体フォルダー４を常にペン先側に付勢する弾発力を確保したものである。係止部７を形成する弾性変形可能材質としては、シリコンゴムのゴム高度（１０〜３０°）の低いものが採用できるものである。
本実施例では、筆記体の筆圧を検知してオン／オフする電気的装置として感圧センサを示したが、タクトスイッチ等を用いても一向に差し支えない。
【図面の簡単な説明】
【００１２】
【図１】本発明の第１例の非筆記状態を示す部分半断面図。
【図２】本発明の第１例の要部拡大部分半断面図。
【図３】本発明の第１例の筆記状態を示す要部部分半断面図。
【図４】本発明の第１例のモジュールとモジュール内部品及びモジュール内を摺動する、筆記体フォルダーの斜視図。
【図５】本発明第１例の前記ハウスのガイド部と受け部を示す斜視図。
【図６】本発明の第２例の非筆記状態と筆記状態を示す要部分半断面図。
【図７】本発明の第３例の非筆記状態と筆記状態を示す要部分半断面図。
【図８】本発明の第４例の非筆記状態と筆記状態を示す要部分半断面図。
【符号の説明】
【００１３】
１  外軸
２  中軸
３  筆記体
４  筆記体フォルダー
５  スイッチハウス
６  ガイド部
７  係止部
８  弾発部
９  受け部
１０  連結部
１３  感圧センサ
１４  フレックス基盤
１５  配線基盤部
１６  フレックス基盤
１７  スライド
１８  タクトスイッチ
１９  ボタン
２０  発信器カバー
２１  電池
２２  接点
２３  尾栓
２４  接合突起
２５  接合穴
２６  位置決め壁
２７  位置決め突起
２８  位置決め突起
２９  空間
３０  Ｒ部
３１  中軸２に設けた係止部
【図１】
2007233577.tif 000003
【図２】
2007233577.tif 000004
【図３】
2007233577.tif 000005
【図４】
2007233577.tif 000006
【図５】
2007233577.tif 000007
【図６】
2007233577.tif 000008
【図７】
2007233577.tif 000009
【図８】
2007233577.tif 000010